(57)【要約】【課題】装置構成の複雑化を回避しながら、的確に画像の読取りを行えるようにする。【解決手段】読取対象物１を照明する光源ＬＳと、光源制御装置１２と、光センサＰＳとが備えられ、光センサＰＳによる読取作用位置と読取対象物１とが前記主走査方向に略直交する副走査方向で相対移動している状態で、光センサＰＳの検出信号に基づいて前記読取対象物の画像を読取る画像読取装置において、光源制御装置１２は、複数の照明色を異なる照射タイミングで同時に照射するときに、画像の１画素分の読取期間において、照明光の照射時間を前記照明色間で異ならせ、且つ、前記読取期間の始端からの積算光量が、前記読取期間全体での積算光量の１／２となる設定基準タイミングを、前記複数の照明色間で略一致させる状態で制御するように構成されている。【選択図】図１
2007215050.tif 000002
【特許請求の範囲】
【請求項１】
読取対象物を照明するための照明光を出射する光源と、その光源を制御する光源制御装置と、受光素子を主走査方向にライン状に配列した光センサとが備えられ、
前記光センサによる読取作用位置と前記読取対象物とが前記主走査方向に略直交する副走査方向で相対移動している状態で、前記光センサの検出信号に基づいて前記読取対象物の画像を読取る画像読取装置であって、
前記光源は、複数の照明色の照明光を独立して照射するように構成され、
前記光源制御装置は、
前記複数の照明色の照明光の光強度と照射タイミングとを各照明色毎に別個に制御するように構成されると共に、
前記複数の照明色を同時に照射するときに、前記副走査方向での画像の１画素分の読取期間において、照明光の照射時間を前記照明色間で異ならせ、且つ、前記読取期間の始端からの積算光量が、前記読取期間全体での積算光量の１／２となる設定基準タイミングを、前記複数の照明色間で略一致させる状態で制御するように構成されている画像読取装置。
【請求項２】
前記光源制御装置は、前記副走査方向での画像の１画素分の読取期間において、前記設定基準タイミングの前後で、前記光強度の時間変化が対称となる状態で制御するように構成されている請求項１記載の画像読取装置。
【請求項３】
前記光源制御装置は、前記副走査方向での画像の１画素分の読取期間において、前記光強度が一定で且つ単一の光パルスにより形成される照明光を照射させるように制御すると共に、前記単一の光パルスの時間中心を前記設定基準タイミングとするように構成されている請求項２記載の画像読取装置。
【請求項４】
前記光源は、前記複数の照明色の照明光として、照明色が可視光領域に属する前記複数の照明色の照明光を照射すると共に、前記複数の照明色の照明光に加えて、赤外光の照明光を出射するように構成され、
前記光源制御装置は、前記複数の照明色の照明光と前記赤外光の照明光とを時間的に離間した状態で交互に照射させ、且つ、前記副走査方向での画像の１画素分の読取期間において、前記読取期間の始端からの前記赤外光の積算光量が、前記読取期間全体での前記赤外光の積算光量の１／２となるタイミングと、前記設定基準タイミングとの間隔を一定に保持するように構成されている請求項１〜３のいずれか１項に記載の画像読取装置。
【発明の詳細な説明】
【技術分野】
【０００１】
本発明は、読取対象物を照明するための照明光を出射する光源と、その光源を制御する光源制御装置と、受光素子を主走査方向にライン状に配列した光センサとが備えられ、前記光センサによる読取作用位置と前記読取対象物とが前記主走査方向に略直交する副走査方向で相対移動している状態で、前記光センサの検出信号に基づいて前記読取対象物の画像を読取る画像読取装置に関する。
【背景技術】
【０００２】
かかる画像読取装置は、例えば、写真フィルムや各種の読取原稿を読取対象物として、その読取対象物に形成されている画像を読取検出する装置である。
このような画像をカラー画像として検出する場合、カラー画像を構成する基本色（一般に、青色，緑色及び赤色）の色成分を含む照明光にて読取対象物を照明して、それの透過光あるいは反射光を光センサにて検出する。
この場合、光センサへの光の到達効率や光センサ自体の感度等を含めた実効的な検出感度が色成分毎に異なる場合が多いため、従来、例えば、下記特許文献１に記載のように、ＣＣＤ方式の光センサの電荷蓄積時間を各色成分毎に異ならせることが考えられている。
【特許文献１】特開２００３−１６３７８８号公報
【発明の開示】
【発明が解決しようとする課題】
【０００３】
しかしながら、上記従来構成では、光センサの構成や駆動制御が複雑化してしまう不都合があった。
本発明は、かかる実情に鑑みてなされたものであって、その目的は、装置構成の複雑化を回避しながら、的確に画像の読取りを行えるようにする点にある。
【課題を解決するための手段】
【０００４】
本出願の第１の発明は、読取対象物を照明するための照明光を出射する光源と、その光源を制御する光源制御装置と、受光素子を主走査方向にライン状に配列した光センサとが備えられ、前記光センサによる読取作用位置と前記読取対象物とが前記主走査方向に略直交する副走査方向で相対移動している状態で、前記光センサの検出信号に基づいて前記読取対象物の画像を読取る画像読取装置において、前記光源は、複数の照明色の照明光を独立して照射するように構成され、前記光源制御装置は、前記複数の照明色の照明光の光強度と照射タイミングとを各照明色毎に別個に制御するように構成されると共に、前記複数の照明色を同時に照射するときに、前記副走査方向での画像の１画素分の読取期間において、照明光の照射時間を前記照明色間で異ならせ、且つ、前記読取期間の始端からの積算光量が、前記読取期間全体での積算光量の１／２となる設定基準タイミングを、前記複数の照明色間で略一致させる状態で制御するように構成されている。
【０００５】
すなわち、光センサの実効的な感度が色成分毎に異なるのを、複数の照明色の照明光の光強度と出射タイミングとを各照明色毎に別個に制御して、画像の１画素についての照明光の照射時間を照明色間で異ならせて調整することで対処するのである。
つまり、光センサ側ではなく、光源側で対処している。
このような制御を行う場合、画像の１画素分の読取期間において、その期間の始端から各照明色同時に照射を開始し、各照明色毎に設定されている照射時間が経過した時点で照射を終了する、という制御形態で特段の問題はないようにも思われる。
このような照射時間の管理を行った場合の画像の読取りの様子を、図６において模式的に示す。
【０００６】
図６において、太線の実線Ａで区分けして示す各升目は画像の１画素（より厳密には、副走査方向では、１画素分の読取期間に相当）を示しており、仮に照明色が青色，緑色及び赤色の３色であり、且つ、光強度は一定であるとして、青色光の照射時間を破線の枠Ｐで、緑色光の照射時間を１点鎖線の枠Ｑで、赤色光の照射時間を２点鎖線の枠Ｒで夫々示す。各枠Ｐ，Ｑ，Ｒの左端（照射時間の始端に相当）は実線Ａと重なっている。
各画素の検出信号は、副走査方向での１画素分の読取期間全体で光センサの受光素子が受光する積算光量に相当しており、各画素の検出信号は各照明色の照明光の照射時間帯の部分の画像によって代表されていることになる。
更に、１画素分の読取期間内においては、画像上の位置の情報は意味を持たないので、より直感的には、各画素の検出信号は各照明色の照明光の照射時間帯の中央部分の画像として把握できる。
【０００７】
図６において、各照明色の照射時間帯の中央部分の位置を、白丸（青色光），白三角（緑色光）及び×（赤色光）として示しているが、これらの位置関係から、同一の画素の検出信号として、厳密には各照明色間で異なる位置の画像を検出していることが理解できる。
このような照明色間の位置ずれは、光センサの検出信号を各画素のデジタルデータに変換した後に演算処理によって補正することも可能ではあるが、その補正のためにかなりの処理負担を招いてしまうことになる。
【０００８】
そこで、図５に示すように、１画素分の読取期間内における各照明色の照射時間の中心位置を、各照明色間で一致させると、同一の画素の検出信号として、同じ位置の画像を検出することになる。尚、図５の符号等は、図６と対応させて同一の符号等を使用している。
以上は、説明の便宜上、光強度が一定の場合について説明したが、上記の「照射時間の中心位置」とは、１画素分の読取期間内において、その位置の前後での積算光量（光強度の時間積分値）が等しいことを意味しており、換言すると、１画素分の読取期間の始端からの積算光量が、前記読取期間全体での積算光量の１／２となるタイミング（設定基準タイミング）を、前記複数の照明色間で略一致させることで、同一の画素の検出信号として、同じ位置の画像を検出することになる。
【０００９】
又、本出願の第２の発明は、上記第１の発明の構成に加えて、前記光源制御装置は、前記副走査方向での画像の１画素分の読取期間において、前記設定基準タイミングの前後で、前記光強度の時間変化が対称となる状態で制御するように構成されている。
すなわち、副走査方向での１画素分の読取期間の始端からの積算光量が、前記読取期間全体での積算光量の１／２となるタイミングを、前記複数の照明色間で略一致させるについては、光強度の時間変化を任意に設定しても良いのであるが、あるタイミングの前後で光強度の時間変化が対称となるようにすると、そのタイミングが、１画素分の読取期間の始端からの積算光量が、前記読取期間全体での積算光量の１／２となる前記設定基準タイミングとなる。
従って、１画素分の読取期間において、単純に各照明色の照射時間の中心を一致させるだけで、照明色間のタイミング調整ができることになる。
【００１０】
又、本出願の第３の発明は、上記第２の発明の構成に加えて、前記光源制御装置は、前記副走査方向での画像の１画素分の読取期間において、前記光強度が一定で且つ単一の光パルスにより形成される照明光を照射させるように制御すると共に、前記単一の光パルスの時間中心を前記設定基準タイミングとするように構成されている。
すなわち、照明光を照射しているときの光強度を一定とすることで、光源の各照明色の照射制御を極めて単純化することができる。
【００１１】
又、本出願の第４の発明は、上記第１〜第３のいずれかの発明の構成に加えて、前記光源は、前記複数の照明色の照明光として、照明色が可視光領域に属する前記複数の照明色の照明光を照射すると共に、前記複数の照明色の照明光に加えて、赤外光の照明光を出射するように構成され、前記光源制御装置は、前記複数の照明色の照明光と前記赤外光の照明光とを時間的に離間した状態で交互に照射させ、且つ、前記副走査方向での画像の１画素分の読取期間において、前記読取期間の始端からの前記赤外光の積算光量が、前記読取期間全体での前記赤外光の積算光量の１／２となるタイミングと、前記設定基準タイミングとの間隔を一定に保持するように構成されている。
【００１２】
すなわち、読取対称物の画像の読取においては、特に、読取対象物が写真フィルム等の光透過原稿の場合、読取対象物に付着した塵埃や傷の位置を検出して本来の読取画像（前記複数の照明色で検出した画像）を補正するために、上記の複数の照明色の他に、赤外光を照射して画像検出する場合がある。
この赤外光の照射タイミングとしては、前記複数の照明色についての照射と重複して行おうとすると、前記複数の照明色の成分を検出する光センサに赤外光の影響が混入しないように、赤外カットフィルタを設置する等の対策が必要となってしまう。
このため、赤外光の照射タイミングと前記複数の照明色の照明光の照射タイミングとが重複しないように分離することが考えられている。
このような場合において、前記複数の照明色について、同一の画素の検出信号として、同じ位置の画像を検出するようにしておくことで、前記複数の照明色での光センサの検出信号により構成される画像と、赤外光での光センサの検出信号により構成される画像との相対的な位置関係を一定とすることができる。
しかも、赤外光の照射期間においても前記設定基準タイミングに準じた手法を用いて照射タイミングを設定することで、その位置関係が固定的に設定されており、前記複数の照明色や赤外光の照射時間等の照明光照射条件が設定変更されても、赤外光での光センサの検出信号により構成される画像と、前記複数の照明光での光センサの検出信号により構成される画像との位置ずれ量は一定となる。
これによって、赤外光での光センサの検出信号により構成される画像から得た塵埃あるいは傷の位置を、前記複数の照明色での光センサの検出信号により構成される画像上で精度良く特定できることになり、しかも、照明光の照射条件が設定変更された場合でも、両者の画像の位置関係が保持されて、塵埃あるいは傷等の位置を特定するための処理を変更する必要がない。
【発明の効果】
【００１３】
上記第１の発明によれば、照明色間の光センサの検出ばらつきを光源側で調整すると共に、同一の画素の検出信号として、より厳密に同じ位置の画像を検出できるようにすることで、装置構成の複雑化を回避しながら、的確に画像の読取りを行えるものとなった。
又、上記第２の発明によれば、１画素分の読取期間において、単純に各照明色の照射時間の中心を一致させるだけで、照明色間のタイミング調整ができるので、装置の制御構成の簡素化を図ることができる。
又、上記第３の発明によれば、照明光を照射しているときの光強度を一定として、光源の各照明色の照射制御を極めて単純化することができ、装置構成の一層の簡素化を図ることができる。
又、上記第４の発明によれば、赤外光での光センサの検出信号により構成される画像から得た塵埃あるいは傷の位置を、前記複数の照明色での光センサの検出信号により構成される画像上で精度良く特定できることになり、しかも、照明光の照射条件が設定変更された場合でも、両者の画像の位置関係が保持されて、塵埃あるいは傷等の位置を特定するための処理を変更する必要がないので、処理負荷を可及的に軽減しながら、本来の読取画像から精度良く傷あるいは塵埃の影響を除くことができる。
【発明を実施するための最良の形態】
【００１４】
以下、本発明の画像読取装置を写真プリントシステムに備えた場合の実施の形態を図面に基づいて説明する。
写真プリントシステムＤＰは、図１に示すように、現像処理済みの写真フィルム１（以下、単に「フィルム１」と称する）の駒画像を読取るための画像読取装置ＦＳと、画像読取装置ＦＳの読取りデータに基づいて写真プリントを作製する露光・現像装置ＥＰとから構成されている。
【００１５】
〔画像読取装置ＦＳの概略構成〕
画像読取装置ＦＳには、図１に概略的に示すように、読取対象物であるフィルム１を照明するための照明光を出射する光源ＬＳであるＬＥＤ光源装置１０と、ＬＥＤ光源装置１０を制御する光源制御装置１２と、フィルム１の駒画像を光電変換する光センサＰＳであるＣＣＤラインセンサユニット１３と、フィルム１の画像をＣＣＤラインセンサユニット１３上に結像させるためのレンズ１４と、光路を９０度屈曲させるためのミラー１５と、ＣＣＤラインセンサユニット１３の出力信号を増幅及びＡ／Ｄ変換等する信号処理回路１６と、所定の読取り用位置（ＣＣＤラインセンサユニット１３による読取作用位置）を経由してフィルム１を搬送するフィルムキャリア１７とが備えられている。尚、ＬＥＤ光源装置１０とフィルムキャリア１７におけるフィルム搬送位置との間には、光拡散ボックス１８が備えられている。
画像読取装置ＦＳは、光源ＬＳから出射される照明光を画像読取対象物であるフィルム１に照射しながら、ＣＣＤラインセンサユニット１３による読取作用位置とフィルム１とを相対移動（具体的には、フィルム１をフィルムキャリア１７にて搬送移動）させる状態で、フィルム１の透過光の光強度を照明光の各照明色の色成分に分解して検出することで、カラー画像として読取る。
【００１６】
本実施の形態のＣＣＤラインセンサユニット１３は、図３に模式的に示すように、赤色検出用のＣＣＤラインセンサ２０Ｒ，緑色検出用のＣＣＤラインセンサ２０Ｇ及び青色検出用のＣＣＤラインセンサ２０Ｂを一体に集積化したものであり、各ＣＣＤラインセンサ２０Ｒ，２０Ｇ，２０Ｂは、夫々、約５０００個の受光素子２１をライン状に並べて配列した受光部ＬＲと、その受光素子２１の並びに沿って配置されて受光素子２１夫々からの転送動作によって受け取った電荷を受光素子２１の並び方向に転送出力する電荷転送部ＣＴと、受光部ＬＲと電荷転送部ＣＴとの間に配置されて受光部ＬＲから電荷転送部ＣＴへの電荷転送動作を制御するシフトゲートＳＧとを主要部として構成されている。ＣＣＤラインセンサユニット１３の電荷転送部ＣＴやシフトゲートＳＧを駆動するクロック信号等は、信号処理回路１６から供給される。
各ＣＣＤラインセンサ２０Ｒ，２０Ｇ，２０Ｂの受光面には、夫々、カラーフィルタが形成されて、フィルム１の駒画像を色分解して検出するように構成されている。
尚、上記カラーフィルタは、それの性質上、赤外光の透過率が高く、それを利用して、上記の３つのＣＣＤラインセンサ２０Ｒ，２０Ｇ，２０Ｂのうちの一つを赤外光の透過画像の検出に兼用している。本実施の形態では、ＣＣＤラインセンサ２０Ｇを赤外光の透過画像の検出にも兼用している。
【００１７】
各ＣＣＤラインセンサ２０Ｒ，２０Ｇ，２０Ｂにおける受光素子２１の配列方向（主走査方向）はフィルム１の搬送方向（副走査方向）と略直交しており、ＬＥＤ光源装置１０の照射光で照明されたフィルム１の駒画像が、フィルム１の駒画像の幅が受光素子２１の並び範囲内に収まる倍率で、レンズ１４にてＣＣＤラインセンサユニット１３の受光面上に結像される。すなわち、フィルム１の透過光の像がＣＣＤラインセンサユニット１３にて検出される。
【００１８】
〔ＬＥＤ光源装置１０の構成〕
ＬＥＤ光源装置１０は、図２に示すように、ほぼ閉空間を構成する筐体３０内に、発光ダイオードのチップ３１を多数配列した金属製の２つのチップ支持基板３２と、２つのチップ支持基板３２を支持する略Ｌ字状のヒートシンク３３と、２つのチップ支持基板３２の夫々に対応して備えられる２つの第１レンズ３４と、波長選択性反射ミラー３５と、２つのチップ支持基板３２に対して共通に備えられる第２レンズ３６と、筐体３０の一側に配置される吸気ファンユニット３７と、筐体３０における吸気ファンユニット３７と反対側に配置される排気ファンユニット３８とが備えられ、更に、ヒートシンク３３におけるチップ支持基板３２取付け位置付近に発光ダイオードの動作温度を安定させるためのヒータ３９が埋め込まれている。
【００１９】
２つのチップ支持基板３２は、夫々異なる発光色の発光ダイオードチップを搭載しており、上方側のチップ支持基板３２ａは青色光を出射する発光ダイオードチップと緑色光を出射する発光ダイオードチップとを搭載し、下方側のチップ支持基板３２ｂは赤色光を出射する発光ダイオードチップと赤外光を出射する発光ダイオードチップとを搭載している。従って、波長選択性反射ミラー３５は、赤色及び赤外の光を反射し、それよりも短波長側の光を透過するように構成されている。
ＬＥＤ光源装置１０を制御する光源制御装置１２は、信号処理回路１６からの制御信号によって、赤外光，青色光，緑色光及び赤色光を出射する発光ダイオードのチップ３１を照明色毎に独立して点灯制御しており、照明色が可視光領域に属する青色，緑色及び赤色の複数の照明色の照明光を独立して照射すると共に、それらの可視光領域の照明色に加えて、赤外光の照明光を独立して照射するように構成されている。
【００２０】
〔光源制御装置１２によるＬＥＤ光源装置１０の制御態様〕
次ぎに、光源制御装置１２によるＬＥＤ光源装置１０の制御動作を、図４のタイミングチャートによって説明する。
光源制御装置１２は、ＬＥＤ光源装置１０の発光ダイオードのチップ３１に対して、青色，緑色，赤色及び赤外光の夫々のチップ３１について、各照明色毎に独立して点灯駆動するように構成されている。
図４の最上段から４段目までの「青色点灯パルス」，「緑色点灯パルス」，「赤色点灯パルス」及び「赤外光点灯パルス」として示す信号は、上段側から順に、青色光，緑色光，赤色光及び赤外光の各発光ダイオードのチップ３１を発光駆動させるための点灯指示パルス信号を示しており、各照明色の照明光の照射タイミングが各照明色毎に別個に制御されることを示している。
【００２１】
光源制御装置１２に内蔵されている発光ダイオードの各チップ３１の駆動回路は、各チップ３１に供給する駆動電流を設定することで、青色，緑色及び赤色の各照明色の照明光の光強度を各照明色毎に別個に制御しており、更に、赤外光の照明光の光強度も別個に制御している。
発光ダイオードの各チップ３１の駆動回路は、前記点灯パルス信号が立ち上がっている期間の間、予め設定されている一定電流を各チップ３１に供給して、各照明色（赤外光を含む）の照明光の光強度が一定となるようにしている。
従って、図４の最上段から４段目までのパルス波形は、ＬＥＤ光源装置１０から照射される青色，緑色，赤色及び赤外光の各照明色の成分についての光強度の時間変化を示す波形と相似関係となっている。このため、説明の便宜上、図４の最上段から４段目までの信号波形を光強度の時間変化と見なして説明する場合がある。
【００２２】
図４の最下段の「Ｓ／Ｈ」で示す信号波形は、各受光素子２１に蓄積された電荷を電荷転送部ＣＴへ転送動作させるためのパルス信号で、このパルス信号の立ち下がりで各受光素子２１の蓄積電荷が一斉に電荷転送部ＣＴへ転送される。つまり、このパルス信号の立ち下がりから次のパルス信号の立ち下がりまでの１周期「Ｔｃ」の期間内にＣＣＤラインセンサ２０Ｒ，２０Ｇ，２０Ｂの受光面に照射された光によって発生した電荷が受光素子２１に蓄積される。
光源制御装置１２は、「Ｓ／Ｈ」で示す信号波形を信号処理回路１６から受け取って、上記の点灯パルス信号の出力タイミングを設定している。
図４に示すように、「青色光点灯パルス」，「緑色光点灯パルス」，「赤色光点灯パルス」及び「赤外光点灯パルス」は夫々、「Ｗｂ」，「Ｗｇ」，「Ｗｒ」及び「Ｗｉｒ」で示すパルス幅を有するパルスを一定周期で出力しているが、このようにパルス幅（すなわち照射時間）を照明色間で異ならせているのは、ＣＣＤラインセンサユニット１３（光センサＰＳ）へのフィルム１の透過光の到達効率やＣＣＤラインセンサユニット１３自体の各照明色に対する感度等を含めた実効的な検出感度が各照明色毎に異なるのを、各照明色を担当する発光ダイオードのチップ３１から出射する照明光の光強度のみならず、各照明色の照射時間によっても調整しているためである。
【００２３】
これらの点灯パルス信号は、周期「Ｔｃ」の一定周期で出力される最下段の「Ｓ／Ｈ」のパルス信号と同期して生成されるのであるが、これらのうち、「青色光点灯パルス」，「緑色光点灯パルス」及び「赤色光点灯パルス」については、同一の期間「Ｔｃ」内で出力されるのに対して、「赤外光点灯パルス」だけは隣の期間「Ｔｃ」で出力されている。
これは、赤外光による画像の検出のために可視光での画像の検出のための光センサＰＳ（本実施の形態では、緑色光検出用のＣＣＤラインセンサ２０Ｇ）を兼用しているためで、可視光による画像と赤外光による画像とを区別して検出できるようにするためである。
従って、副走査方向では、２×Ｔｃの期間で画像の１画素分を検出することになる。
換言すると、可視光の照射のための期間「Ｔｃ」と赤外光の照射のための期間「Ｔｃ」とを足し合わせた２×Ｔｃの期間が副走査方向での１画素分の読取期間となる。
【００２４】
同一の期間「Ｔｃ」内で出力される「青色光点灯パルス」，「緑色光点灯パルス」及び「赤色光点灯パルス」は上記の１画素分の読取期間内で単一の光パルスを形成するのであるが、「青色光点灯パルス」，「緑色光点灯パルス」及び「赤色光点灯パルス」夫々のパルスの立ち上がりタイミングを、「Ｓ／Ｈ」で示すパルス信号の立ち下がりから、夫々「Ｔｃ／２−Ｗｂ／２」，「Ｔｃ／２−Ｗｇ／２」及び「Ｔｃ／２−Ｗｒ／２」だけ経過した時点に設定することで、その単一の光パルスの時間中心（直線Ｃｖで示す）が青色，緑色及び赤色の照明色間で略一致させてある。さらに直線Ｃｖで示すその時間中心は、期間「Ｔｃ」の中心にもなっている。
これによって、図５を用いて説明したように、青色，緑色及び赤色の照明色間で検出画像の位置がより厳密に一致することになる。
上述のように各点灯パルス信号で点灯駆動される発光ダイオードのチップ３１の出射光の光強度は一定としてあるので、直線Ｃｖで規定される設定基準タイミングの前後で、光強度の時間変化が対称となっている。
これはまた、１画素分の読取期間（「２×Ｔｃ」）の始端からの積算光量が、前記読取期間全体での積算光量の１／２となるタイミング（直線Ｃｖで示す前記設定基準タイミング）を、青色，緑色及び赤色の複数の照明色間で略一致させていることになっている。
【００２５】
一方、「赤外光点灯パルス」については、立ち上がりタイミングを、「Ｓ／Ｈ」で示すパルス信号の立ち下がりから、「Ｔｃ／２−Ｗｉｒ／２」だけ経過した時点に設定することでパルスの中心を期間「Ｔｃ」の中心（直線Ｃｉｒで示す）に一致させてある。
換言すると、画像の１画素分の読取期間において、前記読取期間の始端からの赤外光の積算光量が、前記読取期間全体での前記赤外光の積算光量の１／２となるタイミング（直線Ｃｉｒで示す）と、前記設定基準タイミング（直線Ｃｖで示す）との間隔を一定に保持しており、赤外光の画像と可視光（青色光，緑色光及び赤色光）の画像との副走査方向でのずれ量「Ｄ」は、期間「Ｔｃ」に一致して、０．５画素分ずれていることになる。
点灯パルス信号を上記のように設定することで、この０．５画素分のずれは、パルス幅「Ｗｂ」，「Ｗｇ」，「Ｗｒ」及び「Ｗｉｒ」を変更調整しても不変であり、そのような変更調整を行っても、赤外光の画像と可視光の画像との位置補正の処理にはなんら影響を与えない。
ちなみに、「Ｔｃ」，「Ｗｂ」，「Ｗｇ」，「Ｗｒ」及び「Ｗｉｒ」の数値例としては、例えば、夫々３０００μＳ，１０００μＳ，１４００μＳ，２０００μＳ及び１６００μＳ程度となる。
【００２６】
〔露光・現像装置ＥＰの全体構成〕
露光・現像装置ＥＰは、図１に示すように、画像読取装置ＦＳとは別体で構成されており、筐体内部には、印画紙２に露光画像を形成する露光ヘッド４１と、露光形成する画像の画像データに基づいて露光ヘッド４１を制御する露光制御装置４２と、露光ヘッド４１にて露光された印画紙２を現像処理する現像処理装置４３と、印画紙マガジン３から引き出された印画紙２を現像処理装置４３へ搬送する印画紙搬送系ＰＴとが設けられ、筐体外部には、現像処理装置４３にて現像された印画紙２をオーダ毎に一時的に保存するためのソータ（図示を省略）へ搬送する排出コンベア４４が設けられ、更に、これら各部を制御する主制御装置４５が筐体内に設けられている。
【００２７】
主制御装置４５には、プリント画像をシミュレートして表示するためのモニタ４５ａと、操作者がそのモニタ４５ａに表示されたシミュレート画像を観察して露光条件の補正量を指示入力するための操作卓４５ｂと、光磁気ドライブ装置やＣＤ−Ｒドライブ装置等の外部入出力装置４５ｃとが接続されている。
印画紙搬送系ＰＴは、各種の搬送形式にて構成される複数の搬送ローラ４６等が備えられ、印画紙搬送系ＰＴの搬送経路の途中には、印画紙マガジン３から引き出された長尺の印画紙２を設定プリントサイズに切断するカッタ４７と、印画紙２の搬送列を振り分けるための振り分け装置４８とが備えられている。
【００２８】
〔露光・現像装置ＥＰの全体動作〕
次に、露光・現像装置ＥＰの全体動作について概略的に説明する。
上述のようにＬＥＤ光源装置１０の読取光量が設定された状態で画像読取装置ＦＳにてフィルム１の駒画像が読み取られて、その画像データが主制御装置４５に入力される。
主制御装置４５では、入力されてきた画像データに対して、赤外光での画像データによって塵埃あるいは傷の存在位置を特定し、その情報に基づいて可視光での画像データを補正する。
更に、仕上がりプリントをシミュレートしたシミュレート画像を演算処理により求めてモニタ４５ａに表示する。
操作者は、モニタ４５ａに表示されたシミュレート画像を観察して、適宜露光条件の補正入力を操作卓４５ｂから行う。
主制御装置４５は、操作卓４５ｂから補正入力があると、その指示に基づいて露光条件を補正演算して露光用の画像データを生成し、その画像データを露光制御装置４２へ送る。
露光制御装置４２は、印画紙２の搬送駆動と連動して、受け取った露光用の画像データに基づいて露光ヘッド４１を駆動し、前記露光位置を搬送される印画紙２に対して潜像として画像を露光形成する。
露光ヘッド４１にて露光処理された印画紙２は、現像処理装置４３にて現像処理及び乾燥処理された後、排出コンベア４４上に排出される。
【００２９】
〔別実施形態〕
以下、本発明の別実施形態を列記する。
（１）上記実施の形態では、青色，緑色及び赤色の可視光による照明と、赤外光による照明とを交互に繰り返す場合を例示しているが、赤外光による照明を行わずに、可視光の照明のみによって読取対象物の画像を読取るように構成しても良い。
（２）上記実施の形態では、副走査方向で読取対象物と光センサＰＳの読取作用位置を相対移動させるために、読取対象物であるフィルム１を搬送駆動する場合を例示しているが、例えばフラットベッドスキャナのように、読取対象物は静止状態として前記読取作用位置を移動操作する構成としても良い。
（３）上記実施の形態では、複数の照明色の照明光を生成するために青色，緑色及び赤色の発光ダイオードのチップ３１を備える場合を例示しているが、各種の単色光を放射する素子を使用できる他、白色光をカラーフィルタで複数の色成分に分解した後、各色成分について個別に出射タイミングを制御するように構成しても良い。
（４）上記実施の形態では、同時（同一の期間「Ｔｃ」）に照射する複数の照明光が全て可視光である場合を例示しているが、複数の照明色として白色光と赤外光とを同時に照射するような場合にも本発明を適用できる。
【図面の簡単な説明】
【００３０】
【図１】本発明の実施の形態にかかる写真プリントシステムの概略構成図
【図２】本発明の実施の形態にかかる光源の概略構成図
【図３】本発明の実施の形態にかかる光センサの概略構成図
【図４】本発明の実施の形態にかかる光源に対する点灯制御を説明する図
【図５】本発明による照明光の制御を説明するための図
【図６】照明光の照射タイミングによって発生する画像の位置ずれを説明する図
【符号の説明】
【００３１】
１    読取対象物
１２  光源制御装置
２１  受光素子
ＬＳ  光源
ＰＳ  光センサ
【図１】
2007215050.tif 000003
【図２】
2007215050.tif 000004
【図３】
2007215050.tif 000005
【図４】
2007215050.tif 000006
【図５】
2007215050.tif 000007
【図６】
2007215050.tif 000008